(57)【要約】【課題】複数の納入先の空気調和装置の試験における時間のロスや費用を抑えること。【解決手段】室内機２ａ〜２ｐと室外機３とを備える空気調和装置の試験装置１であって、室内機２ａ〜２ｐと室外機３とを接続する長さの異なる複数の冷媒配管５ａ，５ｂと、長さの異なる冷媒配管５ａ，５ｂのそれぞれに設けられ、長さの異なる冷媒配管５ａ，５ｂのうち一の冷媒配管５ａ，５ｂの長さに設定する設定部１１と、を具備し、室外機３または室外機３の一部は、交換可能にされている。【選択図】図１
2017106644.tif 000002
【特許請求の範囲】
【請求項１】
室内機と室外機とを備える空気調和装置の試験装置であって、
前記室内機と前記室外機とを接続する長さの異なる複数の冷媒配管と、
長さの異なる前記冷媒配管のそれぞれに設けられ、長さの異なる前記冷媒配管のうち一の前記冷媒配管の長さに設定する設定手段と、を具備し、
前記室外機またはその一部は、交換可能にされている試験装置。
【請求項２】
前記設定手段は、当該設定手段が設けられる前記冷媒配管に接続される前記室内機を使用するか否かを設定する請求項１に記載の試験装置。
【請求項３】
前記室外機は、試験対象となる前記空気調和装置のうち最も大きな電源に対応した筐体が用いられる請求項１または請求項２に記載の試験装置。
【請求項４】
前記室内機が複数設けられる場合に、
前記設定手段は、前記室外機と全ての前記室内機とを接続する主管に設けられる請求項１から請求項３のいずれかに記載の試験装置。
【請求項５】
前記室内機が複数設けられる場合に、
前記設定手段は、前記主管から枝分かれし、前記主管と各前記室内機とを接続する前記冷媒配管である枝管に設けられる請求項４に記載の試験装置。
【請求項６】
前記室外機またはその一部は、納入先となる国毎に交換可能にされており、
前記国で使用する電圧系統の大きさ毎に、前記国をグループ化し、共通の前記電圧系統のグループの前記国の試験を連続して実施する請求項１から請求項５のいずれかに記載の試験装置。
【請求項７】
室内機と室外機とを備える空気調和装置の試験方法であって、
前記室内機と前記室外機とを長さの異なる複数の冷媒配管で接続する第１工程と、
長さの異なる前記冷媒配管のそれぞれに、長さの異なる前記冷媒配管のうち一の前記冷媒配管の長さに設定するための設定手段を取り付ける第２工程と、
前記室外機を交換する第３工程と
を有する試験方法。
【請求項８】
前記室外機またはその一部は、納入先となる国毎に交換可能にされており、前記国で使用する電圧系統の大きさ毎に、前記国をグループ化し、共通の前記電圧系統のグループの前記国の試験を連続して実施する請求項７に記載の試験方法。
【発明の詳細な説明】
【技術分野】
【０００１】
本発明は、試験装置及び試験方法に関するものである。
【背景技術】
【０００２】
従来、ビル用マルチ型空気調和装置の大能力化が進み、また、全世界をターゲットにしたことにより、その開発負荷は大きくなっている。例えば、開発試験では、日本向け機や欧州向け機等、向け先毎に室内機や配管を設置し、計測器類のセットアップをし、試験を実施している。
下記特許文献１では、空気調和装置の国内機用と輸出機用とで制御装置に設けられるプリント基板の配線を切り替え、国内機用と輸出機用とでプリント基板を共用化する技術が記載されている。
【先行技術文献】
【特許文献】
【０００３】
【特許文献１】特開２００３−２１３８１号公報
【発明の概要】
【発明が解決しようとする課題】
【０００４】
ところで、従来の開発試験では、複数の向け先をターゲットにする空気調和装置を開発する場合に、ある向け先に対する準備をし、試験を実施し、全ての機材を撤収後、ある程度時間を空けてから他の向け先に対する準備、試験、撤収という流れで開発作業が行われている。また、向け先毎に順番に開発していく過程で、向け先毎の開発試験の合間に他試験が割り込んで実施されることもある。
しかしながら、このような試験の流れや他試験の割り込み実施により、試験における時間のロスや費用が多くかかるという問題があった。また、上記特許文献１の方法のように、空気調和装置の国内機用と輸出機用とプリント基板を共用するだけでは、こうした試験における時間ロスや費用が多くかかかる問題を解決できない。
【０００５】
本発明は、このような事情に鑑みてなされたものであって、複数の納入先の空気調和装置の試験における時間のロスや費用を抑えることができる試験装置及び試験方法を提供することを目的とする。
【課題を解決するための手段】
【０００６】
上記課題を解決するために、本発明は以下の手段を採用する。
本発明は、室内機と室外機とを備える空気調和装置の試験装置であって、前記室内機と前記室外機とを接続する長さの異なる複数の冷媒配管と、長さの異なる前記冷媒配管のそれぞれに設けられ、長さの異なる前記冷媒配管のうち一の前記冷媒配管の長さに設定する設定手段と、を具備し、前記室外機またはその一部は、交換可能にされている試験装置を提供する。
【０００７】
本発明の構成によれば、室内機と室外機とは長さの異なる複数の冷媒配管で接続され、長さの異なる冷媒配管のそれぞれに設けられる設定手段により、長さの異なる冷媒配管のうち一の配管の長さに設定され、室外機またはその一部が交換可能にされる。
本発明は、空気調和装置の向け先（納入先の国）別に異なる仕様は、主に室外機であることに着目したので、室外機以外の室内機や冷媒配管を共用して開発試験を行うことにより、開発に係る準備や撤収作業に係る時間や手間等のロスをできるだけ抑えることができ、複数の向け先機の開発を同時に一括で行うことができる。
なお、室外機またはその一部の交換とは、室外機の特徴を変更することを意味しており、例えば、室外機の筐体ごとの交換、室外機内のコントロールボックス部分のみの交換を含む。
【０００８】
上記試験装置の前記設定手段は、当該設定手段が設けられる前記冷媒配管に接続される前記室内機を使用するか否かを設定してもよい。
【０００９】
冷媒配管長を設定するための設定手段の設定により、冷媒配管が接続される室内機を使用するか否かの設定の切り替えも行う。
【００１０】
上記試験装置の前記室外機は、試験対象となる前記空気調和装置のうち最も大きな電源に対応した筐体が用いられてもよい。
【００１１】
空気調和装置の向け先に応じて電源の大きさが異なるが、室外機の筐体で用いる電源の大きさが異なると、室外機内に設けられるコントロールボックスで用いる部品の大きさや部品種類が異なる。本発明によれば、最も大きい電源に対応する室外機の筐体が用いられるので、試験において室外機を交換する必要がある場合には、現在設置しているコントロールボックスから交換後の室外機の筐体で用いられる電源の大きさに応じたコントロールボックスに交換すればよく、試験準備に係る室外機の交換が簡便に行える。
【００１２】
上記試験装置は、前記室内機が複数設けられる場合に、前記設定手段は、前記室外機と全ての前記室内機とを接続する主管に設けられてもよい。
【００１３】
これにより、簡便に主管の冷媒配管長を調整できる。
【００１４】
上記試験装置は、前記室内機が複数設けられる場合に、前記設定手段は、前記主管から枝分かれし、前記主管と各前記室内機とを接続する前記冷媒配管である枝管に設けられてもよい。
【００１５】
これにより、簡便に枝管の冷媒配管長を調整できる。
【００１６】
上記試験装置の前記室外機またはその一部は、納入先となる国毎に交換可能にされており、前記国で使用する電圧系統の大きさ毎に、前記国をグループ化し、共通の前記電圧系統のグループの前記国の試験を連続して実施してもよい。
【００１７】
電圧系統の大きさが共通であれば同じコンプレッサを用いることができる可能性が高いので、試験の準備にかかる時間を短縮できる。
【００１８】
本発明は、室内機と室外機とを備える空気調和装置の試験方法であって、前記室内機と前記室外機とを長さの異なる複数の冷媒配管で接続する第１工程と、長さの異なる前記冷媒配管のそれぞれに、長さの異なる前記冷媒配管のうち一の前記冷媒配管の長さに設定するための設定手段を取り付ける第２工程と、前記室外機を交換する第３工程とを有する試験方法。
【００１９】
上記試験方法の前記室外機またはその一部は、納入先となる国毎に交換可能にされており、前記国で使用する電圧系統の大きさ毎に、前記国をグループ化し、共通の前記電圧系統のグループの前記国の試験を連続して実施してもよい。
【発明の効果】
【００２０】
本発明は、複数の納入先の空気調和装置の試験における時間のロスや費用が抑えられるという効果を奏する。
【図面の簡単な説明】
【００２１】
【図１】本発明の一実施形態に係る試験装置の構成を概略的に示した図である。
【発明を実施するための形態】
【００２２】
以下に、本発明の実施形態に係る試験装置及び試験方法について図面を参照して説明する。以下で説明する実施形態においては、複数の国（例えば、日本、欧州、中南米、北米等）を納入先とするマルチ型空気調和装置の開発試験を一括で行う場合に、本発明の試験装置及び試験方法を適用することを例に挙げて説明する。
【００２３】
以下に、本発明にかかる実施形態について、図１を参照して説明する。図１には、本実施形態に係る試験装置１の概略構成図が示されている。
図１に示されるように、試験装置１は、複数の室内機２ａ〜２ｐを備えている。本実施形態において、試験装置１の室内機２は１４台である場合を例に挙げて説明するが、室内機２の台数は特に限定されない。また、１セットの室外機３の能力に対して接続可能な室内機上限台数が設定されている場合には、その上限台数の室内機２を試験装置１に備えておくとよい。これにより、様々な規模の空気調和システムに対する試験に速やかに対応できる。なお、室外機３の台数も特に限定されない。
また、以下において各室内機を区別する場合は室内機２ａ，２ｂ・・のようにアルファベットを付して説明するが、特に区別しない場合には、室内機２として記す。また、他の部についても同様に、特に区別しない場合には、アルファベットを省略して記す。
【００２４】
試験装置１は、室外機３またはその一部が交換可能にされている。なお、室外機３またはその一部の交換とは、室外機３の特徴を変更することを意味しており、例えば、室外機３の筐体ごとの交換、室外機３内のコントロールボックス（図示略）のみの交換、或いはコンプレッサのモータ（図示略）のみの交換を含む。
室外機３と各室内機２とは、長さの異なる冷媒配管５ａ，５ｂで接続されている。図１においては、室外機３から各室内機２に分配される前までの主管を冷媒配管５ａとし、主管から枝分かれし、各室内機２にそれぞれ接続される枝管を冷媒配管５ｂとして示す。
【００２５】
冷媒配管５ａは、上流側から下流側に冷媒を流通させる長さが異なる経路が複数設けられている。長さの異なる冷媒配管５ａのそれぞれには、長さの異なる冷媒配管５ａのうち一の冷媒配管５ａの長さに設定する設定部１１ａ，１１ｂ，１１ｃが備えられている。
設定部１１ａ，１１ｂ，１１ｃは、冷媒が流通する経路を設定する。設定部１１ａ，１１ｂ，１１ｃは、例えばボールバルブとし、開閉を制御することによって、冷媒配管５ａの配管長を設定する。具体的には、設定部１１ａを開状態とし、設定部１１ｂ，１１ｃを閉状態とした場合には、冷媒配管５ａの配管長は図１の最短（例えば１０［ｍ］）とする。設定部１１ａを閉状態とし、設定部１１ｂ，１１ｃを開状態とした場合には、冷媒配管５ａの配管長は、例えば６５（＝１０＋５５）［ｍ］とする。
【００２６】
冷媒配管５ｂは、上流側から下流側に冷媒を流通させる長さが異なる経路が複数設けられている。長さの異なる冷媒配管５ｂのそれぞれには、長さの異なる冷媒配管５ｂのうち一の冷媒配管５ｂの長さに設定する設定部１１ｄ，１１ｅ，１１ｆが備えられている。
設定部１１ｄ，１１ｅ，１１ｆは、冷媒が流通する経路を設定する。設定部１１ｄ，１１ｅ，１１ｆは、例えばボールバルブとし、開閉を制御することによって、冷媒配管５ｂの配管長を設定する。具体的には、設定部１１ｆを開状態とし、設定部１１ｄ，１１ｅを閉状態とした場合には、冷媒配管５ｂの配管長は図１の最短（例えば１０［ｍ］）とする。設定部１１ｆを閉状態とし、設定部１１ｄ，１１ｅを開状態とした場合には、冷媒配管５ｂの配管長は、例えば５０（＝１０＋４０）［ｍ］とする。
【００２７】
また、各室内機２に接続される冷媒配管５ｂ（枝管）に設けられる設定部１１ｄ，１１ｅ，１１ｆを全て全閉状態にすることにより、当該冷媒配管５ｂと接続される室内機２（例えば、室内機２ａ）を使用しないという設定にすることもできる。つまり、設定部１１ｄ，１１ｅ，１１ｆにより、試験装置１で用いられる室内機２の台数を制御できる。
【００２８】
本実施形態においては、各国の試験に応じて室外機３の一部を交換することによって国毎の仕様に合わせる態様とする。そのため、室外機３は、試験対象となる空気調和システムのうち最も大きな電源に対応した筐体が用いられる。
例えば、日本向けの室外機３では配電方式が３相３線、電源は２００［Ｖ］、周波数が５０／６０［Ｈｚ］が用いられ、欧州／中国向けでは３相４線、３８０−４１５［Ｖ］、５０［Ｈｚ］が用いられ、中南米向けでは３相４線２２０［Ｖ］、６０［Ｈｚ］が用いられ、北米向けでは３相４線４６０［Ｖ］、６０［Ｈｚ］が用いられる。このような場合には、試験装置１の室外機３の筐体は、４６０［Ｖ］に対応可能なものが設置される。また、配電方式や周波数は、各国向けのコントロールボックスにて対応する。
【００２９】
なお、複数の納入先となる国（以下、「向け先」という）で使用する電圧系統の大きさ毎に向け先をグループ化し、共通の電圧系統のグループの向け先毎に試験を連続して実施するとよい。例えば、２００［Ｖ］系の電圧が用いられる日本向け、中南米向けを同グループとし、４００［Ｖ］系の電圧が用いられる欧州／中国向け、北米向けを同グループとする。これにより、室外機３のコンプレッサが、共通のコンプレッサを用いる可能性が高いため、試験準備にかかる時間と手間を削減できる。
【００３０】
なお、電圧系統の大きいグループに属する向け先から先に試験を実施してもよいし、電圧系統の小さいグループに属する向け先から先に試験を実施してもよく、どちらを先に実施してもよい。
コントロールボックスは、空気調和装置の運転を制御する各種制御部材や回路基板等の電気部品を収納し、室外機３内において、コンプレッサやモータや送風機等が配置されるスペース以外の他のスペースに設置される。コントロールボックスは、室外機３外に取り出し可能に設置されている。
【００３１】
以下に試験装置１を用いた開発試験の準備から実施の流れを説明する。以下では、日本向け、中南米向け、欧州／中国向け、北米向けの順で試験を実施することを例に挙げて説明する。
空気調和装置を複数の向け先に納入する場合には、設置される室外機３の仕様、室内機２の台数、室外機３と各室内機２とを接続するそれぞれの冷媒配管５の配管長等がそれぞれ向け先ごとに仕様化される。向け先ごとの仕様に応じて、試験が実施される。
【００３２】
筐体に日本向けコントロールボックス等が設置された室外機３と、複数の室内機２とが設置される。室内機２及び室外機３の間が冷媒配管（ガス管、液管）５によって接続される。また、室内機２と室外機３との間の主管と枝管のそれぞれにおいて異なる配管長となる複数の経路が設けられる。複数の経路においてそれぞれボールバルブが設けられる。ボールバルブ等を制御して、主管における冷媒配管５ａの配管長、枝管における冷媒配管５ｂの配管長が、日本向けの納入形態で設定される。
【００３３】
その他、電気配線関係の接続がなされ、温度センサ、圧力センサ等の計測器類が適宜設置される。試運転によって、耐圧確認、真空引き、冷媒封入等が行われる。各室内機２及び室外機３は、それぞれ制御可能にアドレスが設定され、通信の確認が行われる。
こうした一連の作業によって、試験装置１における日本向け試験の準備が完了し、試験装置１における日本向けの試験が実施される。
【００３４】
日本向けの試験が完了すると、続いて、日本向けと同様に２００［Ｖ］系の電源を使用する中南米向けの試験の準備を開始する。室内機２は流用できるので冷媒配管５の接続はそのままとされ、各冷媒配管５に設けられる設定部１１が制御され、中南米向けの納入形態に併せて各室内機２の使用有無が設定される（室内機２の台数設定）。また、主管である冷媒配管５ａと、使用する各室内機２に接続される枝管の冷媒配管５ｂとの配管長が設定部１１によって設定される。
室外機３の筐体はそのままとされ、室外機３内のコントロールボックスが日本向けから中南米向けのものに交換される。このようにして、中南米向けの試験に併せた構成がなされる。
【００３５】
中南米向けの試験が実施され、中南米向けの試験が完了すると、続いて、欧州／中国向けの試験の準備を開始する。室内機２は流用できるので、冷媒配管５の接続はそのままとされ、冷媒配管５に設けられる設定部１１が制御され、欧州／中国向けの納入形態に併せて各室内機２の使用有無の設定、及び冷媒配管５ａ，５ｂの配管長の設定がされる。
室外機３の筐体はそのままとされ、室外機３内のコントロールボックス及びコンプレッサが、中南米向けから欧州／中国向けのものに交換される。このようにして、欧州／中国向けの試験に併せた構成がなされる。
【００３６】
欧州／中国向けの試験が実施され、欧州／中国向けの試験が完了すると、続いて、欧州／中国向けと同様に４００［Ｖ］系の電源を使用する北米向けの試験の準備を開始する。室内機２は流用できるので、冷媒配管５の接続はそのままとされ、冷媒配管５に設けられる設定部１１が制御され、北米の納入形態に併せて各室内機２の使用有無の設定、及び冷媒配管５ａ，５ｂの配管長の設定がされる。
室外機３の筐体はそのままとされ、室外機３内のコントロールボックスが欧州／中国向けから北米向けのものに交換される。このようにして、北米向けの試験に併せた構成がなされる。他の向け先に関する試験がない場合には、室内機２、室外機３、冷媒配管５ａ，５ｂ、設定部１１等を取り外し、撤収する。
【００３７】
このように、一の向け先に対する試験の完了後は、室外機３や室内機２や冷媒配管５ａ，５ｂ等の撤収をせず、次の向け先に対する試験準備のために一の向け先の試験準備を流用し、複数国への一括納入が予定されている全ての向け先に対する一通りの試験を実施する。各国向けの一通りの試験が終了すると、試験のために用いられた室内機２、室外機３、冷媒配管５、設定部１１等が撤収され、試験が完了とされる。
【００３８】
以上説明してきたように、本実施形態にかかる試験装置１及び試験防法によれば、長さの異なる冷媒配管５のそれぞれに設けられる設定部１１により、長さの異なる冷媒配管５のうち一の配管の長さに設定され、室外機３またはその一部が交換可能にされている。本発明は、空気調和装置の向け先（納入先の国）別に異なる仕様は、主に室外機３であり、室外機３以外の室内機２や冷媒配管５を共用して開発試験を行うことができることに着目したので、開発に係る準備や撤収作業に係る時間や手間等のロスをできるだけ抑えることができ、複数の向け先機の開発を同時に一括で行うことができる。
【００３９】
本実施形態においては、複数の向け先に対する空気調和装置の開発をまとめて連続して行うこととし、ある向け先に対して行われた試験後の機器を流用できる箇所は流用し、流用できない箇所（例えば、室外機のコントローラ、コンプレッサのモータ等）は他の向け先に応じたものに置き換えた。これにより、ある向け先の試験と他の向け先の試験との合間の時間がなくなったので向け先毎の試験がシームレスに行われる。
【００４０】
また、近年のビル用マルチ型空気調和装置のように従来と比較して馬力や配管長等が大型化したシステムの試験では、例えば室外機３と室内機２とを接続する冷媒配管５の全ての配管長を合算した総長は１０００［ｍ］になることもある。本実施形態においては国毎の試験において冷媒配管５等を流用することにより、従来のように流用せずに国毎に試験準備と撤収をしていた場合と比較して、試験にかかる費用を低減できる。
また、納入先となる国で使用する電圧系統の大きさ毎に国をグループ化し、共通の電圧系統のグループごとに試験を連続して実施する。これにより、電圧系統の大きさが共通であれば同じコンプレッサを用いることができる可能性が高いので、試験の準備、段取りにかかる時間を短縮できる。
なお、本実施形態にかかる試験装置１の試験は、日本国内で実施されてもよいし、例えば、日本国外の海外工場等において実施してもよい。
【００４１】
［変形例］
上記実施形態においては、室外機３の特徴を向け先毎に変更する場合に、室外機３の一部を交換していたが、これに限定されず、室外機３の筐体（本体）ごと交換してもよい。筐体ごと交換することによって、複数の部品を個別に交換するよりも、手間を低減することができる。
【００４２】
以上、本発明の実施形態について図面を参照して詳述してきたが、具体的な構成はこの実施形態に限られるものではなく、本発明の要旨を逸脱しない範囲の設計変更なども含まれる。
【符号の説明】
【００４３】
１  試験装置
２ａ〜２ｐ  室内機
３  室外機
５ａ，５ｂ  冷媒配管
１１ａ〜１１ｆ  設定部
【図１】
2017106644.tif 000003